(57)【要約】【課題】錠止装置のトリガー機構の作動を確実にする。【解決手段】錠箱１の側板に平行な平面内で回動可能に支承され、前端に装着された第１永久磁石４をフロント板の裏板開口１８に臨ませることができるように付勢されたトリガー体２を有し、閉扉時第１永久磁石４と整合する扉枠の部分に埋設され、第１永久磁石と同磁極になるように着磁された第２永久磁石との間の磁気反発力により、閉扉時トリガー体２を回動させるようにしたものにおいて、裏板１６を磁性材質とすると共に、裏板開口の開口端縁の少なくとも１ヵ所に内側に突出する吸着突起２１を設け、この吸着突起２１の先端部を第１永久磁石４に近接させる。【選択図】  図３
2004183437.tif 000002
【特許請求の範囲】
【請求項１】
錠箱の側板に平行な平面内で回動可能に支承され、前端に装着された第１永久磁石をフロント板の裏板開口に臨ませることができるように付勢されたトリガー体を有し、閉扉時第１永久磁石と整合する扉枠の部分に埋設され、第１永久磁石と同磁極になるように着磁された第２永久磁石との間の磁気反発力により、閉扉時トリガー体を回動させるようにしたものにおいて、裏板を磁性材質とすると共に、裏板開口の開口端縁の少なくとも１ヵ所に内側に突出する吸着突起を設け、この吸着突起の先端部を第１永久磁石に近接させるようにしたことを特徴とする錠止装置のトリガー機構。
【発明の詳細な説明】
【０００１】
【発明の属する技術分野】
この発明は、錠止装置のトリガー機構（以下単にトリガー機構という）に係り、特に、作動が確実であるトリガー機構に関する。
【０００２】
【従来の技術】
【特許文献１】特許第３０２６２７３号公報
本出願人は、先に、特願平３−１９４７３１号（特許第３０２６２７３号）を以て、新規な錠止装置を提供した。
【０００３】
この錠止装置は、上記出願の明細書の特許請求の範囲に記載されているように、錠箱内においてフロント板に垂直な前後方向に移動可能に案内され、錠箱から突出する前方に付勢されたデッドボルトと、このデッドボルトにおいて前後方向に沿って形成されたラック歯列と、デッドボルトの近傍において回動可能に支承され、上記ラック歯列と噛み合う制御歯車と、この制御歯車に一体に結合され、制御歯車の半径方向に延伸した係止レバーと、中央部を錠箱内のフロント板近傍において回動可能に支承され、デッドボルトが錠箱内に引っ込んだ解放状態時、一端に装着された第一永久磁石をフロント板内面に近接させ、他端を係止レバーの先端に係合させてデッドボルトを解放位置に係止すると共に、上記第一永久磁石がフロント板に近接する方向に付勢されたトリガー体と、閉扉時上記第一永久磁石と整合する扉枠の部位に装着され、第一永久磁石と同磁極でこれに対峙する第二永久磁石と、全体の形状が細長い板状体で、一端を、錠箱内において回動可能に支承されると共に、扉に装着されたノブ等の外部操作部材に連結され、他端部を前方からデッドボルトに係合可能に臨ませたリトラクタとを有することを特徴とするものである。
【０００４】
この錠止装置の構成等は、上記出願の明細書及び図面に詳細に記載されているから更に詳細な説明は省略するが、この発明の説明に必要であるから、上記錠止装置の主要部及びその作動を次に簡単に説明する。
【０００５】
この錠止装置の外ケースである錠箱１の前方（図１で左方）下端部に錠箱の側板に平行な平面内で回動可能なトリガー体２が配設されており、このトリガー体２は、トリガーばね３の弾力により図１で反時計方向に付勢された、全体の形状が略Ｌ字形のレバーである。
【０００６】
このトリガー体２の前端（図１で左端）には第１永久磁石４が、後端には係止爪５が夫々装着されており、この係止爪５には係止レバー６の一端に形成されたラチェット歯車が係止されている。
【０００７】
上記係止レバー６は、中央部を回動可能に支承されたレバー体で、その他端に形成された制御歯車７をデッドボルト８の側面に形成されたラック歯列９に噛み合い係合させている。
【０００８】
上記デッドボルト８は、デッドばね１１の弾力によって前方に、すなわち図１で左方に突出する方向に付勢されているので、係止レバー６は反時計方向に付勢され、この係止レバー６を図１に示す錠止位置に係止するため、係止爪５は、その先端とトリガー体２の回転中心を通る線分に沿って外方に引かれるように外力を受け、この外力はトリガー体の中心軸に担持される。
【０００９】
そして、この錠止装置を装着した扉を完全に閉じると、図２に示すように、扉枠１２の第１永久磁石４と整合する位置に埋設された第２永久磁石１３が第１永久磁石４と同極に着磁されているので、これらの磁石４、１３の間に作用する磁気反発力によりトリガー体２は図２で時計方向に回動される。
【００１０】
従って、トリガー体２に係止されていた係止レバー６、及びこれに連係されたデッドボルト８は自由になり、デッドボルト８はデッドばね１１の弾力によって前方に突出し、扉枠に形成されたストライク孔１４に投入される。
【００１１】
【発明が解決しようとする課題】
上記した錠止装置は勿論その機能を発揮し、現在まで実用されている。
しかしながら、開扉時リトラクター１５（図２参照）を操作し、デッドボルト８をストライク孔から引抜いて扉を開けるとき、第２永久磁石１３の影響下から外れる第１永久磁石４が自由になるのでトリガー体も自由になり、トリガーばね３の弾力により図１に示す待機位置に戻る設計なのだが、トリガー体の支軸における摩擦抵抗トルクが大きいとき、或いは経年変化により支軸部分の回動が渋くなったとき、トリガー体２が図１に示す待機位置に完全に戻り切らない場合がある。
【００１２】
このようなときには、係止爪５も正規の待機位置に戻らないので、制御レバー６及びこれに連係するデッドボルト８を図１に示す解放位置に係止することができず、開扉後ハンドル等の外部操作部材から手を離すとデッドボルトがまた突出してしまう、という不都合が生じる。
【００１３】
この不都合を解消しようとしてトリガーばね３の弾力を大きくすると、今度は閉扉時磁気反発力がその分小さくなり、デッドボルト８を解放してストライク孔に投入することができなくなる、という別の不都合が生じる。
【００１４】
この発明は、閉扉時トリガー体２が確実に待機位置に復帰するトリガー機構を提供し、以て上記した不都合を解消すると共に、錠止装置の作動を確実にすることを目的としている。
【００１５】
【課題を解決するための手段】
上記の目的を達成するため、この発明は、錠箱の側板に平行な平面内で回動可能に支承され、前端に装着された第１永久磁石をフロント板の裏板開口に臨ませることができるように付勢されたトリガー体を有し、閉扉時第１永久磁石と整合する扉枠の部分に埋設され、第１永久磁石と同磁極になるように着磁された第２永久磁石との間の磁気反発力により、閉扉時トリガー体を回動させるようにしたものにおいて、裏板を磁性材質とすると共に、裏板開口の開口端縁の少なくとも１ヵ所に内側に突出する吸着突起を設け、この吸着突起の先端部を第１永久磁石に近接させるようにしたことを特徴とする。
【００１６】
【実施例】
以下、この発明の実施例を図面を参照して説明する。
図３及び図４において符号１６は錠箱のフロント板１７（図１参照）の裏板を示し、この裏板１６は、通常、図１及び図４に示すように、フロント板１７の裏側においてこれに重合するようにして錠箱１に装着される。
【００１７】
そして、図１に示すように第１永久磁石４が待機位置にあるときこれが裏板１６と整合する部分に裏板開口１８が形成されており、トリガー体の第１永久磁石４、或いは図示の実施例のように第１永久磁石４が例えば合成樹脂製のホルダー１９によって覆われているときにはホルダーの前面が裏板１６の外表面と整合し、フロント板１７の裏面に当接して、トリガー体２の待機位置が規制される。
【００１８】
なお、図３及び図４においては、図面を明瞭にするため、前記係止爪５（図１参照）を形成したトリガー体２の後端部の描出を省略している。
【００１９】
そして、上記裏板開口１８の開口端縁の少なくとも１ヵ所、図示の実施例ではトリガー体２の支軸に誓い下方の開口端縁、に内側に突出する吸着突起２１が形成され、その先端は第１永久磁石４に近接している。
【００２０】
図示の実施例では、ホルダー１９の吸着突起２１と干渉する部分する部分が切り欠かれ、吸着突起２１が第１永久磁石に充分に近接できるように構成されている。
【００２１】
上記のように構成されたこの発明の一実施例によるトリガー機構は、図４に２点鎖線で示すようにトリガー体２が正規の待機位置に復帰できずに僅かに傾いた状態にあるとき、傾いているため大きくなっている吸着突起２１との距離を減じようとして、図４に実線で示す正規の角度位置にまで移動する。
【００２２】
それは、磁石は磁気回路抵抗を小さくしようとして磁気抵抗の小さな磁性体を引き付ける性質があるからである。
【００２３】
なお、上記第１永久磁石４と吸着突起２１との間の磁気はこれらの間の距離に反比例するから、図示の実施例においては下方の開口端縁に吸着突起を形成するのが効率的であるが、左右、又は上辺に形成してもよいことは勿論である。
【００２４】
また、図示の実施例では吸着突起２１を山形に成形して先端部を細くし、磁束密度を高めるようにしてあるが、これは例えば矩形等他の形状でもよいことは勿論である。
【００２５】
【発明の効果】
以上の説明から明らかなように、この発明は、トリガー体の前端に装着された第１永久磁石が臨む裏板開口の少なくとも１ヵ所に吸着突起を設けると共に、裏板を磁性材質としたので、開扉時トリガー体が正規の待機角度位置に戻るに充分な付勢力が得られない場合でも、吸着突起が第１永久磁石を吸着して自動的にトリガー体を正規の待機位置に復帰させることができる。
【００２６】
そのため、開扉時リトラクターによりデッドボルトを錠箱内に引っ込めて解放状態にする操作が確実になり、錠止装置の作動がより確実になる、等種々の効果を奏する。
【図面の簡単な説明】
【図１】本出願人の先の提案による錠止装置の一部断面側面図で、デッドボルトが錠箱内に引込んだ解放状態を示す。
【図２】図１と同様の錠止装置の一部断面側面図で、デッドボルトが錠箱外に突出した拘束状態を示す。
【図３】この発明の一実施例によるトリガー機構の要部正面図。
【図４】その一部断面側面図。
【符号の説明】
１  錠箱
２  トリガー体
３  トリガーばね
４  第１永久磁石
５  係止爪
６  係止レバー
７  制御歯車
８  デッドボルト
１３  第２永久磁石
１６  裏板
１７  フロント板
１８  裏板開口
１９  ホルダー
２１  吸着突起
【図１】
2004183437.tif 000003
【図２】
2004183437.tif 000004
【図３】
2004183437.tif 000005
【図４】
2004183437.tif 000006